【手続補正書】
【提出日】平成20年9月4日(2008.9.4)
【手続補正１】
【補正対象書類名】明細書
【補正対象項目名】全文
【補正方法】変更
【補正の内容】
【書類名】              明細書
【発明の名称】ミシンの押さえホルダー又は刺しゅう押さえの着脱装置
【特許請求の範囲】
【請求項１】ミシンの押さえ棒と、被係合爪が常時突出するように弾発支持され、該被係合爪に連動して可動する押さえボタンを備え、且つ前記押さえ棒の下端寄りに挿入固定された装着部と、押さえホルダー又は刺しゅう押さえの上部に前記被係合爪に係合する係合爪を設けた着脱部とからなることを特徴とするミシンの押さえホルダー又は刺しゅう押さえの着脱装置。
【請求項２】下端に切欠き面を形成した押さえ棒と、被係合爪付き可動部を可動可能に内蔵し，且つ前記被係合爪が常時突出するように弾性体にて弾発支持され、且つ前記押さえ棒の下端寄りに挿入固定された装着部と、前記可動部に連動して可動させる押さえボタンと、押さえホルダー又は刺しゅう押さえの上部に前記被係合爪と係合可能な係合爪を設けた着脱部とからなることを特徴とするミシンの押さえホルダー又は刺しゅう押さえの着脱装置。
【請求項３】前記被係合爪の下端面は係合を誘導するための手段を形成してなることを特徴とする請求項１記載のミシンの押さえホルダー又は刺しゅう押さえの着脱装置。
【請求項４】前記押さえボタンは、常時は前記装着部の外側に突出して押圧可能に設けられてなることを特徴とする請求項１，２又は３記載のミシンの押さえホルダー又は刺しゅう押さえの着脱装置。
【発明の詳細な説明】
【０００１】
【発明の属する技術分野】本発明は、押さえ棒に対して押さえホルダー及び刺しゅう押さえをワンタッチで着脱可能として簡易に操作できるミシンの押さえホルダー又は刺しゅう押さえの着脱装置に関する。
【０００２】
【従来の技術】従来技術では、普通縫いと刺しゅう縫いとを行う場合には、その都度、締めネジにより押さえホルダー及び刺しゅう押さえの着脱を行っていた。そのため、押さえホルダー及び刺しゅう押さえの着脱には締めネジを締めたり緩めたりしなければならなかった。
【０００３】また、特開平１２−１２９５３号においても、押さえの着脱はネジ部材の締付け，緩めにより行っている。さらに、実公昭４４−１６６１２号では、作動杆の揺動によって押さえを着脱可能に構成している。
【０００４】
【発明が解決しようとする課題】ところで、普通縫いの場合と、刺しゅう縫いの場合には、押さえホルダーと刺しゅう押さえとを変換する必要があった。この場合、止めネジを緩めたり、締めたり、或いは作動杆を揺動させて、取り替えていたが、これは操作が迅速にできない欠点もあり、もっと簡易にできることが要望されていた。
【０００５】
【課題を解決するための手段】そこで、発明者は上記課題を解決すべく鋭意，研究を重ねた結果、本発明を、ミシンの押さえ棒と、被係合爪が常時突出するように弾発支持され、該被係合爪に連動して可動する押さえボタンを備え、且つ前記押さえ棒の下端寄りに挿入固定された装着部と、押さえホルダー又は刺しゅう押さえの上部に前記被係合爪に係合する係合爪を設けた着脱部とからなるミシンの押さえホルダー又は刺しゅう押さえの着脱装置としたことにより、押さえホルダー又は刺しゅう押さえを押さえ棒に装着したり、取り外すのに、その着脱部を上昇するように引き上げるという単純操作のみで装着でき、前記押さえボタンを押しながら前記押さえホルダー又は刺しゅう押さえを引き抜くように操作することのみで外すことができる。いわゆる着脱自在がワンタッチにてできるものである。
【０００６】また、下端に切欠き面を形成した押さえ棒と、被係合爪付き可動部を可動可能に内蔵し，且つ前記被係合爪が常時突出するように弾性体にて弾発支持され、且つ前記押さえ棒の下端寄りに挿入固定された装着部と、前記可動部に連動して可動させる押さえボタンと、押さえホルダー又は刺しゅう押さえの上部に前記被係合爪と係合可能な係合爪を設けた着脱部とからなるミシンの押さえホルダー又は刺しゅう押さえの着脱装置としたことにより、特に押さえホルダー又は刺しゅう押さえの着脱が簡単にできるし、前記被係合爪の下端面は係合を誘導するための手段を形成したり、或いは前記押さえボタンは、常時は前記装着部の外側に突出して押圧可能に設けられていることにより、前記被係合爪に係合爪を係合するのにスムーズにでき、さらに、前記押さえボタンの操作が、より確実且つ迅速にできる。
【０００７】
【発明の実施の形態】以下、本発明の実施形態について図面に基づいて説明すると、図１（Ａ）は本発明に押さえホルダー１０及び着脱部１２を装着した側面図で、図１（Ｂ）はその正面図である。図２（Ａ）は本発明に、刺しゅう押さえ１１と着脱部１２とが一体化されたものを装着した側面図であり、図２（Ｂ）はその正面図である。その主要部は、押さえ棒１と装着体Ａと押さえホルダー１０又は刺しゅう押さえ１１とで構成されている。前記押さえ棒１の下端の側面には、該押さえ棒１の断面を略直径の一部（例えば、３分の１程度）切欠かれた切欠き面１ａが形成され、該切欠き面１ａの上端は次第に切欠きが消滅するように弧状又は傾斜状をなした段状部１ｂが形成されている（図４参照）。
【０００８】前記装着体Ａは、図３乃至図７に示すように、外形が略立方体状をなした装着部２と被係合爪４付き可動部５と弾性体６と押さえボタン８等から構成されている。装着体Ａの構造は、図３，図４，図５等に示すように、前記装着部２の略中央に上下に貫通する孔部３が形成され、前記装着部２の内部収納部２ａには、被係合爪４を有する可動部５が収納され、該被係合爪４付き可動部５は、コイル圧縮バネ等の弾性体６にて、前記被係合爪４が前記装着部２の外側に突出するように弾発支持されている。具体的には、前記弾性体６は、図５（Ａ）に示すように、前記装着部２の内部収納部２ａの一方の内壁と可動部５との間に介在され、常時外側に弾発するように設けられ、前記内部収納部２ａの他方の内壁に当たって飛び出さないように構成され、且つこの状態で前記被係合爪４のみが前記装着部２の下方の隅角凹部２ｂの垂直面から突出するように構成されている。
【０００９】前記被係合爪４の下端側は係合を誘導するための手段が形成されている。該誘導するための手段としては、先端に向かって上向き傾斜する斜面又は弧状面としての係合面４ａが形成されている。また、前記装着部２の孔部３の下端側には、前記押さえ棒１の切欠き面１ａが前記内部収納部２ａ及び可動部５側を向いて挿入可能に、前記孔部３の上側には、前記段状部１ｂが挿入可能にそれぞれ形成されている。この切欠き面１ａの方向は、製作可能な範囲であればこの実施例に限定されない。
【００１０】また、前記可動部５には、軸部７の一端が固着され、該軸部７の他端は、図５（Ｂ）に示すように、前記装着部２の内部収納部２ａとその外面との間に穿設された長孔２ｃを介して装着部２の外面に突出し、前記軸部７の他端にレバー状の押さえボタン８の一端が固着されている。該押さえボタン８の先端は、前記被係合爪４とは同一方向に存在し、前記押さえボタン８を押さえることで、被係合爪４付き可動部５は前記弾性体６に抗して可動し、前記被係合爪４が前記装着部２の隅角凹部２ｂの垂直面から引っ込むように構成されている。
【００１１】刺しゅう押さえ１１は、下端側は布押さえをしたり、刺しゅう布を押さえたりするそれぞれの機能を有する部位であるが、その上部には、図２（Ａ），（Ｂ），（Ｃ）に示すように、共通の立方体状の着脱部１２が設けられている。或いは、着脱部１２の下部には、図１（Ａ），（Ｂ），（Ｃ）に示すように、押さえホルダー１０が形成され、前記押さえ１１が着脱自在となるような構造とすることもある。前記着脱部１２の内部に孔部１３が形成され該孔部１３の一側には平坦面１３ａが形成されている。前記押さえ棒１の下端が前記押さえホルダー１０又は刺しゅう押さえ１１の孔部１３に挿入されると、押さえ棒１の切欠き面１ａと前記孔部１３の平坦面１３ａとが一致して押さえ棒１の軸断面に対する位置決めが行われるように構成されている。また、前記着脱部１２の平坦面１３ａ箇所付近から立設する鉤状の係合爪１４が設けられている。該係合爪１４は前記被係合爪４に係合可能に構成されている。
【００１２】
【作用】まず、装着部２の孔部３を前記押さえ棒１の下端側に挿入し、該押さえ棒１の切欠き面１ａが前記内部収納部２ａ及び可動部５側と対向し、前記孔部３の上側が前記段状部１ｂに合致するようにして前記装着部２が前記押さえ棒１に固定されている。その固定は、ビス等の固着具９にて行われ、前記押さえ棒１には前記固着具９と螺合するネジ孔１ｃが形成され、また装着部２には、固定用貫通孔２ｄが形成されている（図４参照）。
【００１３】そして、押さえホルダー１０又は刺しゅう押さえ１１を装着する作用では、押さえホルダー１０又は刺しゅう押さえ１１の着脱部１２の平坦面１３ａと前記切欠き面１ａとが合致するようにして前記着脱部１２の孔部１３を前記押さえ棒１の下端に挿入し、この状態で上側に僅かに移動して前記着脱部１２に設けた係合爪１４が前記被係合爪４に当接する［図６（Ａ）参照］。さらに僅かに上昇させると、前記係合爪１４の上端で前記被係合爪４の係合面４ａを押圧して、被係合爪４及び可動部５を前記弾性体６に抗して可動させる［図６（Ｂ）参照］。さらに少し上昇させると、前記係合爪１４の先端は前記被係合爪４の先端に到達する［図６（Ｃ）参照）。この直後に、被係合爪４先端と係合爪１４先端との接触が外れて、可動部５及び被係合爪４は飛び出すようになって、該被係合爪４と係合爪１４とが噛み合い状態となって係合（装着）する［図５（Ａ）参照］。実際には、これら一連の作用は押さえホルダー１０又は刺しゅう押さえ１１を単に上昇させることのみのワンタッチの操作にて瞬時にできる。
【００１４】また、取り外しの作用では、前記押さえボタン８を図１（Ａ）又は図２（Ａ）において、ｐ方向に押し込むことで、前記被係合爪４と係合爪１４とが噛み合い状態の係合が解かれ［図７（Ａ）参照］、この状態で、前記押さえホルダー１０又は刺しゅう押さえ１１の着脱部１２を下側に引き抜くことで瞬時に、前記押さえ棒１から外すことができる［図７（Ｂ）参照］。
【００１５】
【発明の効果】請求項１乃至４の発明においては、ねじを締めたり緩めたりすることなく、押さえホルダー１０又は刺しゅう押さえ１１を押さえ棒１に押し込むだけで装着され、また、押さえボタン８をワンプッシュするだけで取り外しができる利点がある。
【００１６】特に、請求項３の発明では、前記被係合爪４の下端面は係合を誘導するための手段を形成することで、前記被係合爪４に係合爪１４を係合するのにスムーズにできるし、請求項４の発明では、前記押さえボタン８は、常時は前記装着部２の外側に突出して押圧可能に設けられていることにより、前記押さえボタン８の操作が、より確実且つ迅速にできる利点がある。
【図面の簡単な説明】
【図１】（Ａ）は本発明の側面図
（Ｂ）は本発明の正面図
（Ｃ）は押さえホルダー付き着脱部の側面図
【図２】（Ａ）は本発明の側面図
（Ｂ）は本発明の正面図
（Ｃ）は刺しゅう押さえ付き着脱部の側面図
【図３】（Ａ）は本発明の主要部材の一部切除した分解斜視図
（Ｂ）は（Ａ）の係合状態を示す斜視図
【図４】本発明を分解した斜視図及び向きを変えた部材の仮想斜視図
【図５】（Ａ）は本発明の係合状態を示す縦断側面図（Ｂ）は（Ａ）のＸ−Ｘ矢視断面図
（Ｃ）は（Ａ）のＹ−Ｙ矢視断面図
【図６】（Ａ）は着脱部の係合爪を装着部の被係合爪に係合せんとする縦断側面図
（Ｂ）は（Ａ）よりも着脱部の係合爪が上昇した縦断側面図
（Ｃ）は（Ｂ）よりも着脱部の係合爪が上昇した縦断側面図
【図７】（Ａ）は押さえボタンを押して着脱部を外さんとする縦断側面図
（Ｂ）は着脱部を外した状態の縦断側面図
【符号の説明】
１…押さえ棒
２…装着部
３…孔部
４…被係合爪
４ａ…係合面
５…可動部
６…弾性体
８…押さえボタン
１０…押さえホルダー
１１…刺しゅう押さえ
１２…着脱部
１３…孔部
１３ａ…平坦面
１４…係合爪